(57)【要約】  【課題】  電池収納部に収納された電池がずれたり外れたりするのを抑えることのできる筒形ワイヤレスマイクロホンを提供する。  【解決手段】  ワイヤレスマイクロホン１の筐体２と、筐体２に取り付けられる筒形のカバー４とを備える。筐体２には、電池６を収納するための電池収納部５が設けられ、電池収納部５の正極側には、収納された電池６の正極凸端子１１の側面部に当接する電池押さえ突片１２Ａが設けられている。この電池押さえ突片１２Ａによって収納された電池６の正極凸端子１１が押さえられ、収納された電池６がずれたり外れたりすることが抑制される。【選択図】  図１
2007165124.tif 000002
【特許請求の範囲】
【請求項１】
ワイヤレスマイクロホンの筐体と、
前記筐体に取り付けられる筒形のカバーと、
を備え、
前記筐体には、電池を収納するための電池収納部が設けられ、
前記電池収納部の正極側には、収納された電池の正極凸端子の側面部を押さえる電池押さえ突片が設けられていることを特徴とする筒形ワイヤレスマイクロホン。
【請求項２】
前記電池押さえ突片は、側面視で丸山形状の頂上部を有することを特徴とする請求項１に記載の筒形ワイヤレスマイクロホン。
【請求項３】
前記電池押さえ突片の先端部は、正面視で略円弧形状であり、前記電池収納部の正極側に向けて円弧径が小さくなる先細り形状であることを特徴とする請求項１または請求項２に記載の筒形ワイヤレスマイクロホン。
【請求項４】
前記電池押さえ突片の先端部の中央には、直線状の水平ストレート部が設けられていることを特徴とする請求項１ないし請求項３のいずれかに記載の筒形ワイヤレスマイクロホン。
【請求項５】
前記電池押さえ突片は、複数の縦長押さえ突片を有することを特徴とする請求項１ないし請求項３のいずれかに記載の筒形ワイヤレスマイクロホン。
【請求項６】
複数の縦長押さえ突片の長さが、互いに異なることを特徴とする請求項５に記載の筒形ワイヤレスマイクロホン。
【請求項７】
前記縦長押さえ突片は、弾性を有することを特徴とする請求項５または請求項６のいずれかに記載の筒形ワイヤレスマイクロホン。
【請求項８】
電池を収納するための電池収納部が設けられた筐体と、
前記筐体に取り付けられる筒形のカバーと、
を備え、
前記電池収納部の正極側には、収納された電池の正極凸端子の側面部を押さえる電池押さえ突片が設けられていることを特徴とする筒形電池収納体。
【発明の詳細な説明】
【技術分野】
【０００１】
本発明は、筒形ワイヤレスマクロホンに関し、特に、筒形ワイヤレスホンにおける電池の収納構造に関するものである。
【背景技術】
【０００２】
従来、マイクロホンやリモコンなどの電子機器に用いられる電池収納構造として、電池収納部の上側からカバーが被着されるものが知られている（例えば、特許文献１参照）。従来の電池収納構造では、電池収納部に収納された乾電池が、カバーの下面で押さえられている。
【０００３】
また一般に、乾電池のサイズには、所定の公差が許容されている。すなわち、乾電池は、公差の範囲内で、各々サイズが僅かに異なっている。従来、そのような乾電池の公差を考慮して、電池収納部にカバーを被着したときに、カバーと乾電池との間にある程度のクリアランスが設けられている。
【特許文献１】特開２００２−２１６７３０号公報（第２−３頁、第３図）
【発明の開示】
【発明が解決しようとする課題】
【０００４】
しかしながら、ワイヤレスマイクロホンは、歌いながら踊ったりする歌手などが使用することがあり、激しい振動や大きな衝撃がワイヤレスマイクロホンに加えられることがある。そのため、従来のように、電池収納部に収納された乾電池とカバーとの間にクリアランスが設けられていると、振動や衝撃によって、乾電池の位置がずれてしまったり、乾電池が外れてしまうことがあるという問題があった。例えば、乾電池の位置がずれてしまうと、電池接点における電気抵抗が変化して音声ノイズ発生の原因となるという問題があった。
【０００５】
そこで、電池収納部に収納された乾電池を押さえるために、カバーの裏面にゴム部材やリブを設けることも考えられるが、ワイヤレスマイクロホンには、円筒状の筐体に電池収納部が設けられ、筐体に円筒状のカバーを嵌着するものがある。そのようなワイヤレスマイクロホンでは、円筒状のカバーを回転させて筐体に取り付けるため、カバーの裏面にゴム部材やリブを設けると、カバーを筐体に取り付けるときに、ゴム部材やリブが干渉するという問題があった。
【０００６】
本発明は、上記従来の問題を解決するためになされたもので、電池がずれたり外れたりするのを抑えることのできる筒形ワイヤレスマイクロホンを提供することを目的とする。
【課題を解決するための手段】
【０００７】
本発明の筒形ワイヤレスマイクロホンは、ワイヤレスマイクロホンの筐体と、前記筐体に取り付けられる筒形のカバーとを備え、前記筐体には、電池を収納するための電池収納部が設けられ、前記電池収納部の正極側には、収納された電池の正極凸端子の側面部を押さえる電池押さえ突片が設けられている構成を有している。この構成により、電池収納部の正極側に設けられた電池押さえ突片によって、収納された電池の正極凸端子の側面部が押さえられ、収納された電池がずれたり外れたりすることが抑制される。
【０００８】
また、本発明の筒形ワイヤレスマイクロホンでは、前記電池押さえ突片は、側面視で丸山形状の頂上部を有する構成を有している。この構成により、電池を着脱するときに、電池の正極凸端子が電池押さえ突片の頂上部を乗り越えて移動する。これにより、電池交換時においては、電池の着脱作業をスムーズに行うことができる。
【０００９】
また、本発明の筒形ワイヤレスマイクロホンでは、前記電池押さえ突片の先端部は、正面視で略円弧形状であり、前記電池収納部の正極側に向けて円弧径が小さくなる先細り形状である構成を有している。この構成により、電池収納部に電池を収納したときに、電池の正極凸端子が先細りの略円弧形状の先端部によって円弧中心へガイドされる。これにより、収納された電池の正極凸端子の位置のずれを小さく抑えることができる。
【００１０】
また、本発明の筒形ワイヤレスマイクロホンでは、前記電池押さえ突片の先端部の中央には、直線状の水平ストレート部が設けられている構成を有している。この構成により、電池の正極凸端子と電池押さえ突片の円弧状の先端部の曲率半径が異なる場合であっても、収納した電池の正極凸端子が電池押さえ突片の中央の水平ストレート部に当接して、収納された電池の正極凸端子が押さえられる。これにより、収納された電池がずれたり外れたりすることが抑制される。
【００１１】
また、本発明の筒形ワイヤレスマイクロホンでは、前記電池押さえ突片は、複数の縦長押さえ突片を有する構成を有している。この構成により、収納された電池の正極凸端子が複数の縦長押さえ突片によって複数の方向から押さえられ、収納された電池がずれたり外れたりすることが抑制される。
【００１２】
また、本発明の筒形ワイヤレスマイクロホンでは、複数の縦長押さえ突片の長さが、互いに異なる構成を有している。この構成により、収納される電池の正極凸端子の径が異なる場合であっても、収納された電池の正極凸端子がその径に対応する長さの縦長押さえ突片によって押さえられ、収納された電池がずれたり外れたりすることが抑制される。
【００１３】
また、本発明の筒形ワイヤレスマイクロホンでは、前記縦長押さえ突片は、弾性を有する構成を有している。この構成により、収納される電池の正極凸端子の径が大きい場合であっても、縦長押さえ突片が弾性変形して、収納された電池の正極凸端子を押さえることができる。
【００１４】
本発明の筒形電池収納体は、電池を収納するための電池収納部が設けられた筐体と、前記筐体に取り付けられる筒形のカバーとを備え、前記電池収納部の正極側には、収納された電池の正極凸端子の側面部を押さえる電池押さえ突片が設けられている構成を有している。この構成により、電池収納部の正極側に設けられた電池押さえ突片によって、収納された電池の正極凸端子が押さえられ、収納された電池がずれたり外れたりすることが抑制される。
【発明の効果】
【００１５】
本発明は、電池収納部の正極側に、収納された電池の正極凸端子の側面部に当接する電池押さえ突片を設けることにより、電池収納部に収納された電池がずれたり外れたりするのを抑えることができるという効果を有する筒形ワイヤレスマイクロホンを提供することができるものである。
【発明を実施するための最良の形態】
【００１６】
以下、本発明の実施の形態の筒形ワイヤレスマイクロホンについて、図面を用いて説明する。本実施の形態では、例えばコンサート会場や講演会場等で用いられる円筒形ワイヤレスマイクロホンの場合を例示する。この円筒形ワイヤレスマイクロホンは、本発明の筒形電池収納体にも相当するものである。
【００１７】
（第１の実施の形態）
本発明の第１の実施の形態の円筒形ワイヤレスマイクロホンを図１〜図７に示す。図２は、円筒形ワイヤレスマイクロホンの平面図である。図２に示すように、円筒形ワイヤレスマイクロホン１は、略円筒形状の筐体２と、筐体２の上部（図２における左側）に備えられる略球形状のマイクヘッド３と、筐体２の下部（図２における右側）に嵌着される有底円筒形状のカバー４とを備えている。筐体２には、図示しないワイヤレスマイクロホン装置が内蔵されており、マイクヘッド３から入力された音声信号は、ワイヤレスマイクロホン装置によってデジタル信号に変換されて外部装置へ無線送信される。
【００１８】
図１は、筐体２からカバー４を取り外した状態の円筒形ワイヤレスマイクロホン１の側面図であり、図３は、筐体２からカバー４を取り外した状態の円筒形ワイヤレスマイクロホン１の平面図である。図１および図３に示すように、筐体２の下部（図１〜図３における右側）には、電池収納部５が凹設されている。図４は、筐体２の電池収納部５を説明するための斜視図である。図４に示すように、電池収納部５は、片側が切り欠かれた半円筒形状であり、電池収納部５には、ワイヤレスマイクロホン装置の電源である電池６が収納される。
【００１９】
本実施の形態では、筐体２の略中央部に、カバー取付け段部７が形成されている。ここでは特に図示しないが、カバー取付け段部７の外周面には、ねじ溝が形成されており、一方、カバー４の開口端部の内周面には、ねじ部が形成されている。そして、筐体２の下側から電池収納部５を覆うようにカバー４を外嵌した後、カバー４を回転させることによって筐体２にカバー４が螺着されるように構成されている。
【００２０】
図１に示すように、電池収納部５の上部（図１における左側）の内壁には、金属製の正極端子８が設けられている。また、電池収納部５の下部（図１における右側）の内壁には、金属製のコイルバネで構成された負極端子９が設けられている。そして、電池収納部５に電池６を収納したときに、負極端子９のコイルバネは、押し縮められた状態で電池６の負極平面端子１０に接触し、電池６を正極端子８側（図１における左側）に向けて付勢している。一方、電池６の正極凸端子１１は、負極端子９のコイルバネの付勢力を受けて、電池収納部５の正極端子８に押し付けられて接触している。
【００２１】
図５は、電池収納部５の正極側を正面からみた断面図であり、図６は、電池収納部５の正極側を側面からみた断面図である。図５および図６に示すように、電池収納部５の正極側の内壁には、正極端子８の上部（図５および図６における上部）の近傍に、電池押さえ突片１２Ａが垂設されている。すなわち、図６に示すように、電池収納部５の正極側の内壁の上部が内側に向けて僅かに突出しており、そこから電池押さえ突片１２Aが垂れ下がるように形成されている。この場合、電池収納部５の内壁と電池押さえ突片１２Aとの間には僅かな隙間が設けられている。そして、電池押さえ突片１２Ａの先端部の中央の縦方向の長さは、電池収納部５に収納された電池６の正極凸端子１１の側面部の頂点に当接する長さに設定されている（図６参照）。ここで、縦方向とは、図６における上下方向をいい、電池６の着脱のときに電池６が移動する方向である。
【００２２】
図６に示すように、電池押さえ突片１２Ａは、側面視で丸山形状の頂上部１３を有している。電池６の着脱をするときに、電池６の負極平面端子１０で負極端子９のコイルバネを押し縮めながら、電池６の正極凸端子１１を押し込むまたは引き出すことにより、電池６の正極凸端子１１が電池押さえ突片１２Ａの頂上部１３を乗り越えて移動できるように構成されている（図７参照）。ここで、側面視とは、図１において紙面垂直方向から見ることをいい、電池収納部５の開口部が上にくるように円筒形ワイヤレスマイクロホン１を横にして置いたときに、円筒形ワイヤレスマイクロホン１の長手方向の側面の側から見ることをいう。
【００２３】
また、図５に示すように、電池押さえ突片１２Ａの先端部は、正面視で略円弧形状をしており、電池収納部５の正極側（図６における左側）に向けて円弧径が小さくなる先細り形状をしている。すなわち、電池押さえ突片１２Ａの先端部は、円錐面形状をしているともいえる。本実施の形態では、電池押さえ突片１２Ａの先端部の円弧径の曲率半径は、電池６の正極凸端子１１の曲率半径よりも若干大きく設定されている。また、電池押さえ突片１２Ａの先端部の円弧径の中心は、電池収納部５の正極端子８の中心とほぼ同じ位置になるように設定されている。ここで、正面視とは、図５において紙面垂直方向から見ることをいい、電池収納部５の開口部が上にくるように円筒形ワイヤレスマイクロホン１を置いたときに、円筒形ワイヤレスマイクロホン１（または電池６）の軸方向の沿って見ることをいう。
【００２４】
そして、電池収納部５に収納された電池６は、負極端子９のコイルバネによって正極端子８側へ向けて付勢されている。したがって、コイルバネの付勢力を受けた電池６の正極凸端子１１は、電池押さえ突片１２Ａの先細り円弧形状の先端部によって、電池押さえ突片１２Ａの先端部の円弧中心へ向けて、すなわち正極端子８の中心へ向けてガイドされるように構成されている。
【００２５】
また、図５に示すように、電池押さえ突片１２Ａの先端部の中央には、直線状の水平ストレート部１４が形成されている。また、電池収納部５の底面には、左右一対のクッション部材１５が取り付けられている。電池収納部５に電池６を収納したときに、電池６の正極凸端子１１が電池押さえ突片１２Ａの水平ストレート部１４に当接するとともに、電池６の下面の左右二箇所が電池収納部５の左右一対のクッション部材１５にそれぞれ当接する。すなわち、電池収納部５に収納された電池６は、電池押さえ突片１２Ａの水平ストレート部１４と電池収納部５のクッション部材１５により、三点支持されている。
【００２６】
以上のように構成された円筒形ワイヤレスマイクロホン１において電池６を着脱するときの動作について、図面を用いて以下説明する。
【００２７】
本発明の第１の実施の形態の円筒形ワイヤレスマイクロホン１に電池６を取り付けるときには、図７に示すように、筐体２からカバー４を取り外し、電池６を負極側から電池収納部５に押し入れる。このとき、電池収納部５の負極端子９のコイルバネは、電池６の負極平面端子１０によって押し縮められる。
【００２８】
そして、電池６の負極平面端子１０で負極端子９のコイルバネを押し縮めながら、電池６の正極凸端子１１を電池収納部５へ押し込む。このようにして、電池６の正極凸端子１１が電池押さえ突片１２Ａの頂上部１３を乗り越えて移動し、電池６が電池収納部５に収納される。
【００２９】
電池収納部５に電池６が収納された状態では、負極端子９のコイルバネの付勢力を受けて、電池６が電池収納部５の正極端子８に押し付けられ、電池６の正極凸端子１１が電池収納部５の正極端子８に接触する。このとき、電池押さえ突片１２Ａの先端部が電池６の正極凸端子１１の側面部に当接して、電池６の正極凸端子１１が上側から押さえられている。
【００３０】
その後、筐体２の下側からカバー４を外嵌し、筐体２にカバー４を螺着することによって、筐体２にカバー４を取り付ける。
【００３１】
本実施の形態の円筒形ワイヤレスマイクロホン１から電池６を取り外すときには、筐体２からカバー４を取り外した後、電池６の負極平面端子１０で負極端子９のコイルバネを押し縮めながら、電池６の正極凸端子１１を電池収納部５から引き出す。このようにして、電池６の正極凸端子１１が電池押さえ突片１２Ａの頂上部１３を乗り越えて移動し、電池６が電池収納部５から取り外される。
【００３２】
このような発明の第１の実施の形態の円筒形ワイヤレスマイクロホン１によれば、電池収納部５の正極側に、収納された電池６の正極凸端子１１の側面部に当接する電池押さえ突片１２Ａを設けることにより、電池収納部５に収納された電池６がずれたり外れたりするのを抑えることができる。
【００３３】
すなわち、本実施の形態では、電池収納部５の正極側に設けられた電池押さえ突片１２Ａによって、電池収納部５に収納された電池６の正極凸端子１１が上側から押さえられ、電池収納部５の内部で電池６がずれたり外れたりすることが抑制される。
【００３４】
また、本実施の形態では、電池収納部５に電池６を着脱するときに、電池６の正極凸端子１１が電池押さえ突片１２Ａの頂上部１３を乗り越えて移動する。これにより、電池交換時においては、電池６の着脱作業をスムーズに行うことができる。
【００３５】
また、本実施の形態では、電池収納部５に電池６を収納した状態で、電池６が負極端子９のコイルバネによって正極端子８側へ付勢されて、電池６の正極凸端子１１が先細りの略円弧形状の先端部によって円弧中心へ向けてガイドされる。このとき、電池押さえ突片１２Ａの先端部の円弧径の中心が、電池収納部５の正極端子８の中心とほぼ同じ位置になるように設定されているので、電池６の正極凸端子１１が正極端子８の中心へ向けてガイドされる。これにより、収納された電池６の正極凸端子１１の位置のずれ、すなわち電池収納部５の正極端子８の位置からのずれを小さく抑えることができる。
【００３６】
また、本実施の形態では、電池押さえ突片１２Ａの先端部の円弧径の曲率半径が、電池６の正極凸端子１１の曲率半径よりも若干大きく設定されており、電池押さえ突片１２Ａの先端部の中央に水平ストレート部１４が形成されている。これにより、電池６のサイズが公差の範囲内で異なっており、電池６の正極凸端子１１と電池押さえ突片１２Ａの円弧状の先端部の曲率半径が異なる場合であっても、収納した電池６の正極凸端子１１が電池押さえ突片１２Ａの中央の水平ストレート部１４に当接する。また、電池６の下面は、左右一対のクッション部材１５に当接する。このように、電池押さえ突片１２Ａの水平ストレート部１４と電池収納部５のクッション部材１５によって、電池収納部５に収納された電池６が三点支持され、電池６が電池収納部５の内部でずれたり外れたりすることが抑制される。
【００３７】
（第２の実施の形態）
次に、本発明の第２の実施の形態の円筒形ワイヤレスマイクロホン１を図８〜図１１に示す。本実施の形態の円筒形ワイヤレスマイクロホン１において、第１の実施の形態と相違する点は、主に電池押さえ突片１２Ｂの構成である。ここでは、特に言及しない限り、本実施の形態の構成は、第１の実施の形態の構成と同様である。
【００３８】
図８は、第２の実施の形態の筐体２の電池収納部５を説明するための斜視図であり、図９は、電池収納部５の正極側の正断面図である。図８および図９に示すように、本実施の形態の電池収納部５の正極側の内壁にも、正極端子８の上部の近傍に、電池押さえ突片１２Ｂが垂設されている。
【００３９】
電池押さえ突片１２Ｂは、第１の実施の形態と同様、側面視で丸山形状の頂上部１３を有している。また、電池押さえ突片１２Ｂの先端部は、第１の実施の形態と同様、正面視で略円弧形状をしており、電池収納部５の正極側に向けて円弧径が小さくなる先細り形状をしている。また、電池押さえ突片１２Ｂの先端部の円弧径の中心は、電池収納部５の正極端子８の中心とほぼ同じ位置になるように設定されている。
【００４０】
図８および図９に示すように、本実施の形態の電池押さえ突片１２Ｂの中央には、縦方向にスリット１６が設けられており、左右二つの縦長押さえ突片１７、１８に分割されている。そして、左右二つの縦長押さえ突片１７、１８の長さは、互いに異なる長さに設定されている。ここでは、左側（図９における左側）の縦長押さえ突片１７の長さよりも、右側（図９における右側）の縦長押さえ突片１８の長さのほうが長く設定されている。また、左右二つの縦長押さえ突片１７、１８は、合成樹脂製であり、弾性を有している。
【００４１】
図１０は、正極凸端子１１の径が公差の範囲内で最大の径の電池６を収納したときの電池収納部５の拡大斜視図であり、図１１は、正極凸端子１１の径が公差の範囲内で最大の径の電池６を収納したときの電池収納部５の正極側の正断面図である。なお、図９は、正極凸端子１１の径が公差の範囲内で最小の径の電池６を収納したときの電池収納部５の正極側の正断面図である。
【００４２】
図９〜図１１に示すように、本実施の形態では、左側（図９および図１１における左側）の縦長押さえ突片１７の長さは、電池収納部５に収納された電池６の正極凸端子１１の径が公差の範囲内で最大の径である場合に、電池６の正極凸端子１１の側面部に当接する長さに設定されている。また、右側（図９および図１１における右側）の縦長押さえ突片１８の長さは、電池収納部５に収納された電池６の正極凸端子１１の径が公差の範囲内で最小の径である場合に、電池６の正極凸端子１１の側面部に当接する長さに設定されている。
【００４３】
以上のように構成された円筒形ワイヤレスマイクロホン１において電池６を着脱するときの動作について、図面を用いて以下説明する。
【００４４】
本発明の第２の実施の形態の円筒形ワイヤレスマイクロホン１に電池６を取り付けるときには、第１の実施の形態と同様にして、まず、筐体２からカバー４を取り外し、電池６を負極側から電池収納部５に押し入れる。そして、電池６の負極平面端子１０で負極端子９のコイルバネを押し縮めながら、電池６の正極凸端子１１を電池収納部５へ押し込む。このようにして、電池６の正極凸端子１１が電池押さえ突片１２Ｂの頂上部１３を乗り越えて移動し、電池６が電池収納部５に収納される。
【００４５】
電池収納部５に電池６が収納された状態では、第１の実施の形態と同様にして、負極端子９のコイルバネの付勢力を受けて、電池６が電池収納部５の正極端子８に押し付けられ、電池６の正極凸端子１１が電池収納部５の正極端子８に接触する。
【００４６】
本実施の形態では、図９に示すように、正極凸端子１１の径が公差の範囲内で最小の径の電池６を収納した場合には、右側（図９における右側）の縦長押さえ突片１８が電池６の正極凸端子１１の側面部に当接して、電池６の正極凸端子１１が右上側から押さえられる。
【００４７】
また、図１０および図１１に示すように、正極凸端子１１の径が公差の範囲内で最大の径の電池６を収納した場合には、左側（図１１における左側）の縦長押さえ突片１７が電池６の正極凸端子１１の側面部に当接するとともに、右側（図１１における右側）の縦長押さえ突片１８が弾性変形して電池６の正極凸端子１１の側面部に当接して、電池６の正極凸端子１１が左右上側から押さえられる。
【００４８】
その後、筐体２の下側からカバー４を外嵌し、筐体２にカバー４を螺着することによって、筐体２にカバー４を取り付ける。
【００４９】
本実施の径値亜の円筒形ワイヤレスマイクロホン１から電池６を取り外すときには、第１の実施の形態と同様にして、筐体２からカバー４を取り外した後、電池６の負極平面端子１０で負極端子９のコイルバネを押し縮めながら、電池６の正極凸端子１１を電池収納部５から引き出す。このようにして、電池６の正極凸端子１１が電池押さえ突片１２Ｂの頂上部１３を乗り越えて移動し、電池６が電池収納部５から取り外される。
【００５０】
このような発明の第２の実施の形態の円筒形ワイヤレスマイクロホン１によれば、電池収納部５の正極側に、左右二つの縦長押さえ突片１７、１８に分割された電池押さえ突片１２Ｂを設けることにより、電池収納部５に収納された電池６がずれたり外れたりするのを抑えることができる。
【００５１】
すなわち、本実施の形態では、電池押さえ突片１２Ｂの中央部に縦方向のスリット１６が設けられ、電池押さえ突片１２Ｂが左右二つの縦長押さえ突片１７、１８に分割されている。これにより、例えば、正極凸端子１１の径が公差の範囲内で最大の径の電池６を収納した場合には、収納された電池６の正極凸端子１１が左右二つの縦長押さえ突片１７、１８によって左右上側の二方向から押さえられ、収納された電池６がずれたり外れたりすることが抑制される。
【００５２】
また、本実施の形態では、左右二つの縦長押さえ突片１７、１８の長さが、互いに異なる長さに設定されている。ここでは、左側（図９における左側）の縦長押さえ突片１７の長さが、公差の範囲内で最大径の電池６の正極凸端子１１に対応するように設定されており、また、右側（図９における右側）の縦長押さえ突片１８の長さが公差の範囲内で最小径の電池６の正極凸端子１１に場合に対応するように設定されている。これにより、電池６のサイズが公差の範囲内で異なっており、収納される電池６の正極凸端子１１の径が異なる場合であっても、収納された電池６の正極凸端子１１がその径に対応する長さの縦長押さえ突片１７、１８によって押さえられる。
【００５３】
例えば、正極凸端子１１の径が公差の範囲内で最小の径の電池６を収納した場合には、右側（図９における右側）の縦長押さえ突片１８が電池６の正極凸端子１１の側面部に当接して、電池６の正極凸端子１１が右上側から押さえられる。また、正極凸端子１１の径が公差の範囲内で最大の径の電池６を収納した場合には、左側（図１１における左側）の縦長押さえ突片１７が電池６の正極凸端子１１の側面部に当接するとともに、右側（図１１における右側）の縦長押さえ突片１８が電池６の正極凸端子１１の側面部に当接して、電池６の正極凸端子１１が左右上側から押さえられる。これにより、収納された電池６がずれたり外れたりすることが抑制される。
【００５４】
また、本実施の形態では、縦長押さえ突片１７、１８が、弾性を有しているので、収納される電池６の正極凸端子１１の径が大きい場合であっても、縦長押さえ突片１７、１８が弾性変形して、収納された電池６の正極凸端子１１を押さえることができる。例えば、正極凸端子１１の径が公差の範囲内で最大の径の電池６を収納した場合には、右側（図１１における右側）の縦長押さえ突片１８が弾性変形して電池６の正極凸端子１１の側面部に当接して、電池６の正極凸端子１１が右上側からも押さえられる。
【００５５】
以上、本発明の実施の形態を例示により説明したが、本発明の範囲はこれらに限定されるものではなく、請求項に記載された範囲内において目的に応じて変更・変形することが可能である。
【００５６】
例えば、以上の説明では、電池押さえ突片１２Ｂが左右二つの縦長押さえ突片１７、１８に分割された例について説明したが、本発明の範囲はこれらに限定されるものではなく、電池押さえ突片は三つ以上の縦長押さえ突片に分割されていてもよい。
【産業上の利用可能性】
【００５７】
以上のように、本発明にかかる筒形ワイヤレスマイクロホンは、電池収納部に収納された電池がずれたり外れたりするのを抑えることができるという効果を有し、例えばコンサート会場や講演会場等で用いられる円筒形ワイヤレスマイクロホン等として有用である。
【図面の簡単な説明】
【００５８】
【図１】本発明の第１の実施の形態における筒形ワイヤレスマイクロホン（筐体からカバーを取り外した状態）の側面図
【図２】本発明の第１の実施の形態における筒形ワイヤレスマイクロホンの平面図
【図３】本発明の第１の実施の形態における筒形ワイヤレスマイクロホン（筐体からカバーを取り外した状態）の平面図
【図４】本発明の第１の実施の形態における筐体の電池収納部を説明するための斜視図
【図５】本発明の第１の実施の形態における電池収納部の正極側の正面からの断面図
【図６】本発明の第１の実施の形態における電池収納部の正極側の側面からの断面図
【図７】本発明の第１の実施の形態における筒形ワイヤレスマイクロホンの電池着脱の動作を説明するための断面図
【図８】本発明の第２の実施の形態における筐体の電池収納部を説明するための斜視図
【図９】本発明の第２の実施の形態における電池収納部の正極側の正面からの断面図
【図１０】本発明の第２の実施の形態における電池収納部を拡大した斜視図
【図１１】本発明の第２の実施の形態における電池収納部の正極側の正面からの断面図
【符号の説明】
【００５９】
１  円筒形ワイヤレスマイクロホン
２  筐体
４  カバー
５  電池収納部
６  電池
８  電池収納部の正極端子
９  電池収納部の負極端子（コイルバネ）
１０  電池の負極平面端子
１１  電池の正極凸端子
１２Ａ  電池押さえ突片（第１の実施の形態）
１２Ｂ  電池押さえ突片（第２の実施の形態）
１３  頂上部
１４  水平ストレート部
１６  スリット
１７、１８  縦長押さえ突片
【図１】
2007165124.tif 000003
【図２】
2007165124.tif 000004
【図３】
2007165124.tif 000005
【図４】
2007165124.tif 000006
【図５】
2007165124.tif 000007
【図６】
2007165124.tif 000008
【図７】
2007165124.tif 000009
【図８】
2007165124.tif 000010
【図９】
2007165124.tif 000011
【図１０】
2007165124.tif 000012
【図１１】
2007165124.tif 000013
【手続補正書】
【提出日】平成17年12月15日(2005.12.15)
【手続補正１】
【補正対象書類名】明細書
【補正対象項目名】全文
【補正方法】変更
【補正の内容】
【発明の詳細な説明】
【技術分野】
【０００１】
本発明は、筒形ワイヤレスマイクロホンに関し、特に、筒形ワイヤレスホンにおける電池の収納構造に関するものである。
【背景技術】
【０００２】
従来、マイクロホンやリモコンなどの電子機器に用いられる電池収納構造として、電池収納部の上側からカバーが被着されるものが知られている（例えば、特許文献１参照）。従来の電池収納構造では、電池収納部に収納された乾電池が、カバーの下面で押さえられている。
【０００３】
また一般に、乾電池のサイズには、所定の公差が許容されている。すなわち、乾電池は、公差の範囲内で、各々サイズが僅かに異なっている。従来、そのような乾電池の公差を考慮して、電池収納部にカバーを被着したときに、カバーと乾電池との間にある程度のクリアランスが設けられている。
【特許文献１】特開２００２−２１６７３０号公報（第２−３頁、第３図）
【発明の開示】
【発明が解決しようとする課題】
【０００４】
しかしながら、ワイヤレスマイクロホンは、歌いながら踊ったりする歌手などが使用することがあり、激しい振動や大きな衝撃がワイヤレスマイクロホンに加えられることがある。そのため、従来のように、電池収納部に収納された乾電池とカバーとの間にクリアランスが設けられていると、振動や衝撃によって、乾電池の位置がずれてしまったり、乾電池が外れてしまうことがあるという問題があった。例えば、乾電池の位置がずれてしまうと、電池接点における電気抵抗が変化して音声ノイズ発生の原因となるという問題があった。
【０００５】
そこで、電池収納部に収納された乾電池を押さえるために、カバーの裏面にゴム部材やリブを設けることも考えられるが、ワイヤレスマイクロホンには、円筒状の筐体に電池収納部が設けられ、筐体に円筒状のカバーを嵌着するものがある。そのようなワイヤレスマイクロホンでは、円筒状のカバーを回転させて筐体に取り付けるため、カバーの裏面にゴム部材やリブを設けると、カバーを筐体に取り付けるときに、ゴム部材やリブが干渉するという問題があった。
【０００６】
本発明は、上記従来の問題を解決するためになされたもので、電池がずれたり外れたりするのを抑えることのできる筒形ワイヤレスマイクロホンを提供することを目的とする。
【課題を解決するための手段】
【０００７】
本発明の筒形ワイヤレスマイクロホンは、ワイヤレスマイクロホンの筐体と、前記筐体に取り付けられる筒形のカバーとを備え、前記筐体には、電池を収納するための電池収納部が設けられ、前記電池収納部の正極側には、収納された電池の正極凸端子の側面部を押さえる電池押さえ突片が設けられている構成を有している。この構成により、電池収納部の正極側に設けられた電池押さえ突片によって、収納された電池の正極凸端子の側面部が押さえられ、収納された電池がずれたり外れたりすることが抑制される。
【０００８】
また、本発明の筒形ワイヤレスマイクロホンでは、前記電池押さえ突片は、側面視で丸山形状の頂上部を有する構成を有している。この構成により、電池を着脱するときに、電池の正極凸端子が電池押さえ突片の頂上部を乗り越えて移動する。これにより、電池交換時においては、電池の着脱作業をスムーズに行うことができる。
【０００９】
また、本発明の筒形ワイヤレスマイクロホンでは、前記電池押さえ突片の先端部は、正面視で略円弧形状であり、前記電池収納部の正極側に向けて円弧径が小さくなる先細り形状である構成を有している。この構成により、電池収納部に電池を収納したときに、電池の正極凸端子が先細りの略円弧形状の先端部によって円弧中心へガイドされる。これにより、収納された電池の正極凸端子の位置のずれを小さく抑えることができる。
【００１０】
また、本発明の筒形ワイヤレスマイクロホンでは、前記電池押さえ突片の先端部の中央には、直線状の水平ストレート部が設けられている構成を有している。この構成により、電池の正極凸端子と電池押さえ突片の円弧状の先端部の曲率半径が異なる場合であっても、収納した電池の正極凸端子が電池押さえ突片の中央の水平ストレート部に当接して、収納された電池の正極凸端子が押さえられる。これにより、収納された電池がずれたり外れたりすることが抑制される。
【００１１】
また、本発明の筒形ワイヤレスマイクロホンでは、前記電池押さえ突片は、複数の縦長押さえ突片を有する構成を有している。この構成により、収納された電池の正極凸端子が複数の縦長押さえ突片によって複数の方向から押さえられ、収納された電池がずれたり外れたりすることが抑制される。
【００１２】
また、本発明の筒形ワイヤレスマイクロホンでは、複数の縦長押さえ突片の長さが、互いに異なる構成を有している。この構成により、収納される電池の正極凸端子の径が異なる場合であっても、収納された電池の正極凸端子がその径に対応する長さの縦長押さえ突片によって押さえられ、収納された電池がずれたり外れたりすることが抑制される。
【００１３】
また、本発明の筒形ワイヤレスマイクロホンでは、前記縦長押さえ突片は、弾性を有する構成を有している。この構成により、収納される電池の正極凸端子の径が大きい場合であっても、縦長押さえ突片が弾性変形して、収納された電池の正極凸端子を押さえることができる。
【００１４】
本発明の筒形電池収納体は、電池を収納するための電池収納部が設けられた筐体と、前記筐体に取り付けられる筒形のカバーとを備え、前記電池収納部の正極側には、収納された電池の正極凸端子の側面部を押さえる電池押さえ突片が設けられている構成を有している。この構成により、電池収納部の正極側に設けられた電池押さえ突片によって、収納された電池の正極凸端子が押さえられ、収納された電池がずれたり外れたりすることが抑制される。
【発明の効果】
【００１５】
本発明は、電池収納部の正極側に、収納された電池の正極凸端子の側面部に当接する電池押さえ突片を設けることにより、電池収納部に収納された電池がずれたり外れたりするのを抑えることができるという効果を有する筒形ワイヤレスマイクロホンを提供することができるものである。
【発明を実施するための最良の形態】
【００１６】
以下、本発明の実施の形態の筒形ワイヤレスマイクロホンについて、図面を用いて説明する。本実施の形態では、例えばコンサート会場や講演会場等で用いられる円筒形ワイヤレスマイクロホンの場合を例示する。この円筒形ワイヤレスマイクロホンは、本発明の筒形電池収納体にも相当するものである。
【００１７】
（第１の実施の形態）
本発明の第１の実施の形態の円筒形ワイヤレスマイクロホンを図１〜図７に示す。図２は、円筒形ワイヤレスマイクロホンの平面図である。図２に示すように、円筒形ワイヤレスマイクロホン１は、略円筒形状の筐体２と、筐体２の上部（図２における左側）に備えられる略球形状のマイクヘッド３と、筐体２の下部（図２における右側）に嵌着される有底円筒形状のカバー４とを備えている。筐体２には、図示しないワイヤレスマイクロホン装置が内蔵されており、マイクヘッド３から入力された音声信号は、ワイヤレスマイクロホン装置によってデジタル信号に変換されて外部装置へ無線送信される。
【００１８】
図１は、筐体２からカバー４を取り外した状態の円筒形ワイヤレスマイクロホン１の側面図であり、図３は、筐体２からカバー４を取り外した状態の円筒形ワイヤレスマイクロホン１の平面図である。図１および図３に示すように、筐体２の下部（図１〜図３における右側）には、電池収納部５が凹設されている。図４は、筐体２の電池収納部５を説明するための斜視図である。図４に示すように、電池収納部５は、片側が切り欠かれた半円筒形状であり、電池収納部５には、ワイヤレスマイクロホン装置の電源である電池６が収納される。
【００１９】
本実施の形態では、筐体２の略中央部に、カバー取付け段部７が形成されている。ここでは特に図示しないが、カバー取付け段部７の外周面には、ねじ溝が形成されており、一方、カバー４の開口端部の内周面には、ねじ部が形成されている。そして、筐体２の下側から電池収納部５を覆うようにカバー４を外嵌した後、カバー４を回転させることによって筐体２にカバー４が螺着されるように構成されている。
【００２０】
図１に示すように、電池収納部５の上部（図１における左側）の内壁には、金属製の正極端子８が設けられている。また、電池収納部５の下部（図１における右側）の内壁には、金属製のコイルバネで構成された負極端子９が設けられている。そして、電池収納部５に電池６を収納したときに、負極端子９のコイルバネは、押し縮められた状態で電池６の負極平面端子１０に接触し、電池６を正極端子８側（図１における左側）に向けて付勢している。一方、電池６の正極凸端子１１は、負極端子９のコイルバネの付勢力を受けて、電池収納部５の正極端子８に押し付けられて接触している。
【００２１】
図５は、電池収納部５の正極側を正面からみた断面図であり、図６は、電池収納部５の正極側を側面からみた断面図である。図５および図６に示すように、電池収納部５の正極側の内壁には、正極端子８の上部（図５および図６における上部）の近傍に、電池押さえ突片１２Ａが垂設されている。すなわち、図６に示すように、電池収納部５の正極側の内壁の上部が内側に向けて僅かに突出しており、そこから電池押さえ突片１２Aが垂れ下がるように形成されている。この場合、電池収納部５の内壁と電池押さえ突片１２Aとの間には僅かな隙間が設けられている。そして、電池押さえ突片１２Ａの先端部の中央の縦方向の長さは、電池収納部５に収納された電池６の正極凸端子１１の側面部の頂点に当接する長さに設定されている（図６参照）。ここで、縦方向とは、図６における上下方向をいい、電池６の着脱のときに電池６が移動する方向である。
【００２２】
図６に示すように、電池押さえ突片１２Ａは、側面視で丸山形状の頂上部１３を有している。電池６の着脱をするときに、電池６の負極平面端子１０で負極端子９のコイルバネを押し縮めながら、電池６の正極凸端子１１を押し込むまたは引き出すことにより、電池６の正極凸端子１１が電池押さえ突片１２Ａの頂上部１３を乗り越えて移動できるように構成されている（図７参照）。ここで、側面視とは、図１において紙面垂直方向から見ることをいい、電池収納部５の開口部が上にくるように円筒形ワイヤレスマイクロホン１を横にして置いたときに、円筒形ワイヤレスマイクロホン１の長手方向の側面の側から見ることをいう。
【００２３】
また、図５に示すように、電池押さえ突片１２Ａの先端部は、正面視で略円弧形状をしており、電池収納部５の正極側（図６における左側）に向けて円弧径が小さくなる先細り形状をしている。すなわち、電池押さえ突片１２Ａの先端部は、円錐面形状をしているともいえる。本実施の形態では、電池押さえ突片１２Ａの先端部の円弧径の曲率半径は、電池６の正極凸端子１１の曲率半径よりも若干大きく設定されている。また、電池押さえ突片１２Ａの先端部の円弧径の中心は、電池収納部５の正極端子８の中心とほぼ同じ位置になるように設定されている。ここで、正面視とは、図５において紙面垂直方向から見ることをいい、電池収納部５の開口部が上にくるように円筒形ワイヤレスマイクロホン１を置いたときに、円筒形ワイヤレスマイクロホン１（または電池６）の軸方向の沿って見ることをいう。
【００２４】
そして、電池収納部５に収納された電池６は、負極端子９のコイルバネによって正極端子８側へ向けて付勢されている。したがって、コイルバネの付勢力を受けた電池６の正極凸端子１１は、電池押さえ突片１２Ａの先細り円弧形状の先端部によって、電池押さえ突片１２Ａの先端部の円弧中心へ向けて、すなわち正極端子８の中心へ向けてガイドされるように構成されている。
【００２５】
また、図５に示すように、電池押さえ突片１２Ａの先端部の中央には、直線状の水平ストレート部１４が形成されている。また、電池収納部５の底面には、左右一対のクッション部材１５が取り付けられている。電池収納部５に電池６を収納したときに、電池６の正極凸端子１１が電池押さえ突片１２Ａの水平ストレート部１４に当接するとともに、電池６の下面の左右二箇所が電池収納部５の左右一対のクッション部材１５にそれぞれ当接する。すなわち、電池収納部５に収納された電池６は、電池押さえ突片１２Ａの水平ストレート部１４と電池収納部５のクッション部材１５により、三点支持されている。
【００２６】
以上のように構成された円筒形ワイヤレスマイクロホン１において電池６を着脱するときの動作について、図面を用いて以下説明する。
【００２７】
本発明の第１の実施の形態の円筒形ワイヤレスマイクロホン１に電池６を取り付けるときには、図７に示すように、筐体２からカバー４を取り外し、電池６を負極側から電池収納部５に押し入れる。このとき、電池収納部５の負極端子９のコイルバネは、電池６の負極平面端子１０によって押し縮められる。
【００２８】
そして、電池６の負極平面端子１０で負極端子９のコイルバネを押し縮めながら、電池６の正極凸端子１１を電池収納部５へ押し込む。このようにして、電池６の正極凸端子１１が電池押さえ突片１２Ａの頂上部１３を乗り越えて移動し、電池６が電池収納部５に収納される。
【００２９】
電池収納部５に電池６が収納された状態では、負極端子９のコイルバネの付勢力を受けて、電池６が電池収納部５の正極端子８に押し付けられ、電池６の正極凸端子１１が電池収納部５の正極端子８に接触する。このとき、電池押さえ突片１２Ａの先端部が電池６の正極凸端子１１の側面部に当接して、電池６の正極凸端子１１が上側から押さえられている。
【００３０】
その後、筐体２の下側からカバー４を外嵌し、筐体２にカバー４を螺着することによって、筐体２にカバー４を取り付ける。
【００３１】
本実施の形態の円筒形ワイヤレスマイクロホン１から電池６を取り外すときには、筐体２からカバー４を取り外した後、電池６の負極平面端子１０で負極端子９のコイルバネを押し縮めながら、電池６の正極凸端子１１を電池収納部５から引き出す。このようにして、電池６の正極凸端子１１が電池押さえ突片１２Ａの頂上部１３を乗り越えて移動し、電池６が電池収納部５から取り外される。
【００３２】
このような発明の第１の実施の形態の円筒形ワイヤレスマイクロホン１によれば、電池収納部５の正極側に、収納された電池６の正極凸端子１１の側面部に当接する電池押さえ突片１２Ａを設けることにより、電池収納部５に収納された電池６がずれたり外れたりするのを抑えることができる。
【００３３】
すなわち、本実施の形態では、電池収納部５の正極側に設けられた電池押さえ突片１２Ａによって、電池収納部５に収納された電池６の正極凸端子１１が上側から押さえられ、電池収納部５の内部で電池６がずれたり外れたりすることが抑制される。
【００３４】
また、本実施の形態では、電池収納部５に電池６を着脱するときに、電池６の正極凸端子１１が電池押さえ突片１２Ａの頂上部１３を乗り越えて移動する。これにより、電池交換時においては、電池６の着脱作業をスムーズに行うことができる。
【００３５】
また、本実施の形態では、電池収納部５に電池６を収納した状態で、電池６が負極端子９のコイルバネによって正極端子８側へ付勢されて、電池６の正極凸端子１１が先細りの略円弧形状の先端部によって円弧中心へ向けてガイドされる。このとき、電池押さえ突片１２Ａの先端部の円弧径の中心が、電池収納部５の正極端子８の中心とほぼ同じ位置になるように設定されているので、電池６の正極凸端子１１が正極端子８の中心へ向けてガイドされる。これにより、収納された電池６の正極凸端子１１の位置のずれ、すなわち電池収納部５の正極端子８の位置からのずれを小さく抑えることができる。
【００３６】
また、本実施の形態では、電池押さえ突片１２Ａの先端部の円弧径の曲率半径が、電池６の正極凸端子１１の曲率半径よりも若干大きく設定されており、電池押さえ突片１２Ａの先端部の中央に水平ストレート部１４が形成されている。これにより、電池６のサイズが公差の範囲内で異なっており、電池６の正極凸端子１１と電池押さえ突片１２Ａの円弧状の先端部の曲率半径が異なる場合であっても、収納した電池６の正極凸端子１１が電池押さえ突片１２Ａの中央の水平ストレート部１４に当接する。また、電池６の下面は、左右一対のクッション部材１５に当接する。このように、電池押さえ突片１２Ａの水平ストレート部１４と電池収納部５のクッション部材１５によって、電池収納部５に収納された電池６が三点支持され、電池６が電池収納部５の内部でずれたり外れたりすることが抑制される。
【００３７】
（第２の実施の形態）
次に、本発明の第２の実施の形態の円筒形ワイヤレスマイクロホン１を図８〜図１１に示す。本実施の形態の円筒形ワイヤレスマイクロホン１において、第１の実施の形態と相違する点は、主に電池押さえ突片１２Ｂの構成である。ここでは、特に言及しない限り、本実施の形態の構成は、第１の実施の形態の構成と同様である。
【００３８】
図８は、第２の実施の形態の筐体２の電池収納部５を説明するための斜視図であり、図９は、電池収納部５の正極側の正断面図である。図８および図９に示すように、本実施の形態の電池収納部５の正極側の内壁にも、正極端子８の上部の近傍に、電池押さえ突片１２Ｂが垂設されている。
【００３９】
電池押さえ突片１２Ｂは、第１の実施の形態と同様、側面視で丸山形状の頂上部１３を有している。また、電池押さえ突片１２Ｂの先端部は、第１の実施の形態と同様、正面視で略円弧形状をしており、電池収納部５の正極側に向けて円弧径が小さくなる先細り形状をしている。また、電池押さえ突片１２Ｂの先端部の円弧径の中心は、電池収納部５の正極端子８の中心とほぼ同じ位置になるように設定されている。
【００４０】
図８および図９に示すように、本実施の形態の電池押さえ突片１２Ｂの中央には、縦方向にスリット１６が設けられており、左右二つの縦長押さえ突片１７、１８に分割されている。そして、左右二つの縦長押さえ突片１７、１８の長さは、互いに異なる長さに設定されている。ここでは、左側（図９における左側）の縦長押さえ突片１７の長さよりも、右側（図９における右側）の縦長押さえ突片１８の長さのほうが長く設定されている。また、左右二つの縦長押さえ突片１７、１８は、合成樹脂製であり、弾性を有している。
【００４１】
図１０は、正極凸端子１１の径が公差の範囲内で最大の径の電池６を収納したときの電池収納部５の拡大斜視図であり、図１１は、正極凸端子１１の径が公差の範囲内で最大の径の電池６を収納したときの電池収納部５の正極側の正断面図である。なお、図９は、正極凸端子１１の径が公差の範囲内で最小の径の電池６を収納したときの電池収納部５の正極側の正断面図である。
【００４２】
図９〜図１１に示すように、本実施の形態では、左側（図９および図１１における左側）の縦長押さえ突片１７の長さは、電池収納部５に収納された電池６の正極凸端子１１の径が公差の範囲内で最大の径である場合に、電池６の正極凸端子１１の側面部に当接する長さに設定されている。また、右側（図９および図１１における右側）の縦長押さえ突片１８の長さは、電池収納部５に収納された電池６の正極凸端子１１の径が公差の範囲内で最小の径である場合に、電池６の正極凸端子１１の側面部に当接する長さに設定されている。
【００４３】
以上のように構成された円筒形ワイヤレスマイクロホン１において電池６を着脱するときの動作について、図面を用いて以下説明する。
【００４４】
本発明の第２の実施の形態の円筒形ワイヤレスマイクロホン１に電池６を取り付けるときには、第１の実施の形態と同様にして、まず、筐体２からカバー４を取り外し、電池６を負極側から電池収納部５に押し入れる。そして、電池６の負極平面端子１０で負極端子９のコイルバネを押し縮めながら、電池６の正極凸端子１１を電池収納部５へ押し込む。このようにして、電池６の正極凸端子１１が電池押さえ突片１２Ｂの頂上部１３を乗り越えて移動し、電池６が電池収納部５に収納される。
【００４５】
電池収納部５に電池６が収納された状態では、第１の実施の形態と同様にして、負極端子９のコイルバネの付勢力を受けて、電池６が電池収納部５の正極端子８に押し付けられ、電池６の正極凸端子１１が電池収納部５の正極端子８に接触する。
【００４６】
本実施の形態では、図９に示すように、正極凸端子１１の径が公差の範囲内で最小の径の電池６を収納した場合には、右側（図９における右側）の縦長押さえ突片１８が電池６の正極凸端子１１の側面部に当接して、電池６の正極凸端子１１が右上側から押さえられる。
【００４７】
また、図１０および図１１に示すように、正極凸端子１１の径が公差の範囲内で最大の径の電池６を収納した場合には、左側（図１１における左側）の縦長押さえ突片１７が電池６の正極凸端子１１の側面部に当接するとともに、右側（図１１における右側）の縦長押さえ突片１８が弾性変形して電池６の正極凸端子１１の側面部に当接して、電池６の正極凸端子１１が左右上側から押さえられる。
【００４８】
その後、筐体２の下側からカバー４を外嵌し、筐体２にカバー４を螺着することによって、筐体２にカバー４を取り付ける。
【００４９】
本実施の径値亜の円筒形ワイヤレスマイクロホン１から電池６を取り外すときには、第１の実施の形態と同様にして、筐体２からカバー４を取り外した後、電池６の負極平面端子１０で負極端子９のコイルバネを押し縮めながら、電池６の正極凸端子１１を電池収納部５から引き出す。このようにして、電池６の正極凸端子１１が電池押さえ突片１２Ｂの頂上部１３を乗り越えて移動し、電池６が電池収納部５から取り外される。
【００５０】
このような発明の第２の実施の形態の円筒形ワイヤレスマイクロホン１によれば、電池収納部５の正極側に、左右二つの縦長押さえ突片１７、１８に分割された電池押さえ突片１２Ｂを設けることにより、電池収納部５に収納された電池６がずれたり外れたりするのを抑えることができる。
【００５１】
すなわち、本実施の形態では、電池押さえ突片１２Ｂの中央部に縦方向のスリット１６が設けられ、電池押さえ突片１２Ｂが左右二つの縦長押さえ突片１７、１８に分割されている。これにより、例えば、正極凸端子１１の径が公差の範囲内で最大の径の電池６を収納した場合には、収納された電池６の正極凸端子１１が左右二つの縦長押さえ突片１７、１８によって左右上側の二方向から押さえられ、収納された電池６がずれたり外れたりすることが抑制される。
【００５２】
また、本実施の形態では、左右二つの縦長押さえ突片１７、１８の長さが、互いに異なる長さに設定されている。ここでは、左側（図９における左側）の縦長押さえ突片１７の長さが、公差の範囲内で最大径の電池６の正極凸端子１１に対応するように設定されており、また、右側（図９における右側）の縦長押さえ突片１８の長さが公差の範囲内で最小径の電池６の正極凸端子１１に場合に対応するように設定されている。これにより、電池６のサイズが公差の範囲内で異なっており、収納される電池６の正極凸端子１１の径が異なる場合であっても、収納された電池６の正極凸端子１１がその径に対応する長さの縦長押さえ突片１７、１８によって押さえられる。
【００５３】
例えば、正極凸端子１１の径が公差の範囲内で最小の径の電池６を収納した場合には、右側（図９における右側）の縦長押さえ突片１８が電池６の正極凸端子１１の側面部に当接して、電池６の正極凸端子１１が右上側から押さえられる。また、正極凸端子１１の径が公差の範囲内で最大の径の電池６を収納した場合には、左側（図１１における左側）の縦長押さえ突片１７が電池６の正極凸端子１１の側面部に当接するとともに、右側（図１１における右側）の縦長押さえ突片１８が電池６の正極凸端子１１の側面部に当接して、電池６の正極凸端子１１が左右上側から押さえられる。これにより、収納された電池６がずれたり外れたりすることが抑制される。
【００５４】
また、本実施の形態では、縦長押さえ突片１７、１８が、弾性を有しているので、収納される電池６の正極凸端子１１の径が大きい場合であっても、縦長押さえ突片１７、１８が弾性変形して、収納された電池６の正極凸端子１１を押さえることができる。例えば、正極凸端子１１の径が公差の範囲内で最大の径の電池６を収納した場合には、右側（図１１における右側）の縦長押さえ突片１８が弾性変形して電池６の正極凸端子１１の側面部に当接して、電池６の正極凸端子１１が右上側からも押さえられる。
【００５５】
以上、本発明の実施の形態を例示により説明したが、本発明の範囲はこれらに限定されるものではなく、請求項に記載された範囲内において目的に応じて変更・変形することが可能である。
【００５６】
例えば、以上の説明では、電池押さえ突片１２Ｂが左右二つの縦長押さえ突片１７、１８に分割された例について説明したが、本発明の範囲はこれらに限定されるものではなく、電池押さえ突片は三つ以上の縦長押さえ突片に分割されていてもよい。
【産業上の利用可能性】
【００５７】
以上のように、本発明にかかる筒形ワイヤレスマイクロホンは、電池収納部に収納された電池がずれたり外れたりするのを抑えることができるという効果を有し、例えばコンサート会場や講演会場等で用いられる円筒形ワイヤレスマイクロホン等として有用である。
【図面の簡単な説明】
【００５８】
【図１】本発明の第１の実施の形態における筒形ワイヤレスマイクロホン（筐体からカバーを取り外した状態）の側面図
【図２】本発明の第１の実施の形態における筒形ワイヤレスマイクロホンの平面図
【図３】本発明の第１の実施の形態における筒形ワイヤレスマイクロホン（筐体からカバーを取り外した状態）の平面図
【図４】本発明の第１の実施の形態における筐体の電池収納部を説明するための斜視図
【図５】本発明の第１の実施の形態における電池収納部の正極側の正面からの断面図
【図６】本発明の第１の実施の形態における電池収納部の正極側の側面からの断面図
【図７】本発明の第１の実施の形態における筒形ワイヤレスマイクロホンの電池着脱の動作を説明するための断面図
【図８】本発明の第２の実施の形態における筐体の電池収納部を説明するための斜視図
【図９】本発明の第２の実施の形態における電池収納部の正極側の正面からの断面図
【図１０】本発明の第２の実施の形態における電池収納部を拡大した斜視図
【図１１】本発明の第２の実施の形態における電池収納部の正極側の正面からの断面図
【符号の説明】
【００５９】
１  円筒形ワイヤレスマイクロホン
２  筐体
４  カバー
５  電池収納部
６  電池
８  電池収納部の正極端子
９  電池収納部の負極端子（コイルバネ）
１０  電池の負極平面端子
１１  電池の正極凸端子
１２Ａ  電池押さえ突片（第１の実施の形態）
１２Ｂ  電池押さえ突片（第２の実施の形態）
１３  頂上部
１４  水平ストレート部
１６  スリット
１７、１８  縦長押さえ突片